(57)【要約】  本明に係る、アプリケータを具備したチューブ容器は、チューブ本体上部のチューブネックの上部に結合され、排出口と連通し、内容物が移動する内容物移動管を持つ支持体と、前記支持体の内側で昇降し、前記内容物移動管に流入する内容物の吐出を断続させる昇降部材と、前記昇降部材の上部に結合されユーザーの肌に接触する、金属のアプリケータを具備することにより、内容物を肌に塗布時、ぬくもりや冷気を肌に伝えることを可能にし、顔の肌の代謝を促進し、肌の弾力性を向上させることができる。
2017516514.tif 000002
【特許請求の範囲】
【請求項１】
内容物を収容し、内容物を排出することができるように排出部が形成されたチューブネックを、上部に結合したチューブ本体と、
前記チューブネックの上部に結合され、前記排出部から排出される内容物が上部に移動するための内容物移動通路が形成された支持体と、
前記支持体の上部に結合され、ユーザーの肌に接触して内容物が塗布され、かつ、中空部が形成された第1アプリケータ部材と、前記第1アプリケータ部材の前記中空部に挿入され、前記チューブ本体を加圧すると内容物の圧力によって上昇し、前記チューブ本体の加圧を解除すると下降する第2アプリケータ部材と、を有するアプリケータと、を含むこと
を特徴とする、アプリケータを具備したチューブ容器。
【請求項２】
内容物を収容し、内容物を排出するための排出部が形成されたチューブネックが上部に結合されたチューブ本体と、
前記チューブネックの上部に結合され、前記排出部から排出される内容物が上部に移動するための内容物移動通路が形成された支持体と、
前記支持体の上部に位置して、内容物を塗布するためにユーザーの肌に接触され、かつ、中空部が形成された第1アプリケータ部材と、前記第1アプリケータ部材の前記中空部に挿入され、前記チューブ本体を加圧すると内容物の圧力によって上昇し、前記チューブ本体の加圧を解除すると下降する第2アプリケータ部材と、を有するアプリケータ部と、
前記支持体と前記アプリケータ部との間で前記支持体の上部に斜めに傾いた状態で結合され、前記アプリケータ部を所定角度に傾いた状態で支持するアプリケータ結合体と、を含むこと
を特徴とする、アプリケータを具備したチューブ容器。
【請求項３】
前記アプリケータ部を被覆し、前記チューブネックに結合され、内部上側に前記第2アプリケータ部材の上端を加圧する加圧突起を具備するオーバーキャップを、さらに含むこと
を特徴とする、請求項1または2に記載の、アプリケータを具備したチューブ容器。
【請求項４】
前記1アプリケータ及び第2アプリケータ部材は、金属で構成されること
を特徴とする、請求項1または2に記載の、アプリケータを具備したチューブ容器。
【請求項５】
前記内容物移動通路の上部には、前記第2アプリケータ部材を昇降可能に結合することができるように、前記内容物移動通路の内周面を取り囲み、一定間隔で離間した多数の支持突起を具備し、
前記多数の支持突起は、前記第2アプリケータ部材を結合することができるように前記内容物移動通路の中央部に結合ホールが形成され、相互に離間した空間を通って内容物が移動するように、内容物移動ホールが形成されること
を特徴とする、請求項１に記載の、アプリケータを具備したチューブ容器。
【請求項６】
前記第2アプリケータ部材は、
前記内容物移動通路の上端に定置され、内容物移動通路を閉栓し、内容物の圧力によって上昇し、前記内容物移動通路を開栓する開閉板と、そして、
前記開閉板から下部へ延長され、前記結合ホールに昇下降可能に結合され、内容物の圧力によって第2アプリケータ部材が上昇時、第2アプリケータ部材が前記内容物移動通路から脱離することを防止するために開閉板を支持する支持台と、を含むこと
を特徴とする、請求項5に記載の、アプリケータを具備したチューブ容器。
【請求項７】
前記アプリケータ結合体の中央部には、前記内容物移動通路と連通する連通部が形成され、前記連通部には、前記第2アプリケータ部材が昇降可能に結合できるように、連通部の内周面を取り囲み、一定間隔に離間した多数の支持突起が具備され、前記多数の支持突起は、前記第2アプリケータ部材を結合することができるように連通部の中央部に結合ホールが形成され、相互に離間した空間を通じて内容物が移動するように、内容物移動ホールが形成されること
を特徴とする、請求項2に記載の、アプリケータを具備したチューブ容器。
【請求項８】
前記第2アプリケータ部材は、
前記連通部の上端に定置され、連通部を閉栓し、内容物の圧力によって上昇し前記連通部を開栓する開閉板と、そして、
前記開閉板から下部へ延長され、前記結合ホールに昇下降可能に結合され、内容物の圧力によって第2アプリケータ部材が上昇する時、第2アプリケータ部材が前記連通部から脱離することを防止することができるように、開閉板を支持する支持台と、
を含むこと
を特徴とする、請求項１に記載の、アプリケータを具備したチューブ容器。
【請求項９】
前記支持台には、内容物の排出時、前記多数の支持突起の下端に当接し、前記第2アプリケータ部材の上昇を制限する係止部が形成されること
を特徴とする、請求項6または8に記載の、アプリケータを具備したチューブ容器。
【請求項１０】
前記排出部の外周面下部には、前記支持体との結合方向をガイドするとともに、回転を防止するための回転防止突起が形成され、
前記支持体の下端には、前記回転防止突起と結合する結合溝が形成されること
を特徴とする、請求項2に記載の、アプリケータを具備したチューブ容器。
【発明の詳細な説明】
【技術分野】
【０００１】
本発明は、アプリケータを具備したチューブ容器に関し、より詳細には、チューブ容器の上部に肌に接触する金属のアプリケータを具備することにより、内容物を肌に塗布する時、ぬくもりまたは冷気を肌に伝達することを可能にして、顔の肌の代謝を促進し、肌の弾力性を向上することができる、アプリケータを具備したチューブ容器に関するものである。
【背景技術】
【０００２】
一般的に、チューブ容器とは、内容物を収容するチューブ本体と、前記チューブ本体の上部に結合されてチューブ本体を支持し、チューブ本体に収容された内容物を排出するように排出部が形成されたチューブネックと、前記チューブネックに着脱可能に結合され、排出部を被覆するオーバーキャップで構成される。
【０００３】
前記のようなチューブ容器は、チューブ本体を加圧する時、排出部を通じて内容物の排出が行われ、大韓民国登録特許第10-1057333号（以降、特許文献１）の図1に示すように、内容物の塗布が容易にできるように内容物を吸収して外部に排出させるブラシ140のようなアプリケータをチューブ上部の構造体120に結合して使用する。
【０００４】
近年、肌の美容に対する関心が高まり、内容物の単純な吸収では、満足できるような肌への吸収と美容効果を得にくいことから、顔の肌の代謝を促進させ、肌の弾力性を向上できるように、ぬくもりまたは冷気を肌に伝達するための様々な方法が試みられている。しかし、前記特許文献１は、ブラシ140を介して、単純に内容物を吸収して排出させる構造であり、ぬくもり又は冷気を肌に伝達することができないという問題点があった。
【０００５】
前記のような問題点を解決するために、ぬくもりや冷気を肌に伝達することが可能な、マスクパックを冷却または加熱するマスクパック冷温装置が発売開始されたが、構造が複雑なだけでなく、高価であり、実際は多くは使用されていない。
【０００６】
従って、内容物を肌に塗布する時に、ぬくもりや冷気を肌に伝達することが可能なシンプルな構造の化粧品容器が要求されている。
【先行技術文献】
【特許文献】
【０００７】
【特許文献１】大韓民国登録特許第10-1057333号公報
【発明の開示】
【発明が解決しようとする課題】
【０００８】
本発明は、上述した問題点を解決するために創作されたもので、本発明の目的は、チューブ容器の上部に肌に接触する金属のアプリケータを具備することにより、内容物を肌に塗布する時、ぬくもりや冷気を肌に伝達することができるので、顔の肌の代謝を促進させ、肌の弾力性を向上させることができる、アプリケータを具備したチューブ容器を提供することである。
【０００９】
また、第1アプリケータ部材と第2アプリケータ部材を分離形成して、未使用時は内容物移動ホールを閉栓し、チューブ本体の加圧による内容物の排出時に、内容物の圧力によって第2アプリケータ部材が上昇し、内容物移動ホールを開栓するように構成することにより、内容物が排出されない状態で、チューブ本体の内部に空気が流入することを防止することができる、アプリケータを具備したチューブ容器に関する。
【課題を解決するための手段】
【００１０】
前記のような問題点を解決するために、本発明に係るアプリケータを具備したチューブ容器は、内容物を収容し、内容物を排出することができるように排出部が形成されたチューブネックを上部に結合したチューブ本体と、前記チューブネックの上部に結合され、前記排出部から排出される内容物が上部に移動するように内容物移動通路が形成された支持体と、前記支持体の上部に結合され、ユーザーの肌に接触して内容物が塗布され、かつ、中空部が形成された第1アプリケータ部材と、前記第1アプリケータ部材の前記中空部に挿入され、前記チューブ本体を加圧すると内容物の圧力によって上昇し、前記チューブ本体の加圧を解除すると下降する第2アプリケータ部材と、を有するアプリケータ部と、を含むことを特徴とする。
【００１１】
また、内容物を収容し、内容物を排出するための排出部が形成されたチューブネックが上部に結合されるチューブ本体と、前記チューブネックの上部に結合され、前記排出部を通じて排出される内容物が上部に移動するための内容物移動通路が形成された支持体と、前記支持体の上部に位置して、内容物を塗布するためにユーザーの肌に接触され、中空部が形成された第1アプリケータ部材と、前記第1アプリケータ部材の中空部に挿入され、前記チューブ本体を加圧すると内容物の圧力によって上昇し、前記チューブ本体の加圧を解除すると下降する第2アプリケータ部材と、を有するアプリケータ部と、前記支持体と前記アプリケータ部との間で前記支持体の上部に斜めに傾いた状態で結合され、前記アプリケータ部を所定角度に傾いた状態で支持するアプリケータ結合体と、を含むことを特徴とする。
【００１２】
また、前記アプリケータ部を被覆し、前記チューブネックに結合され、内部の上側に前記第2アプリケータ部材の上端を加圧する加圧突起を具備するオーバーキャップをさらに含むことを特徴とする。
【００１３】
また、前記1アプリケータ及び第2アプリケータ部材は、金属で構成されることを特徴とする。
【００１４】
また、前記内容物移動通路の上部には、前記第2アプリケータ部材を昇降可能に結合することができるように、前記内容物移動通路の内周面を取り囲み、一定間隔で離間した多数の支持突起を具備し、前記多数の支持突起は、前記第2アプリケータ部材を結合することができるように前記内容物移動通路の中央部に結合ホールが形成され、相互に離間した空間を通って内容物が移動するように、内容物移動ホールが形成されることを特徴とする。
【００１５】
また、前記第2アプリケータ部材は、前記内容物移動通路の上端に定置され、内容物移動通路を閉栓し、内容物の圧力によって上昇し、前記内容物移動通路を開栓する開閉板と、そして、前記開閉板から下部へ延長され、前記結合ホールに昇下降可能に結合され、内容物の圧力によって第2アプリケータ部材が上昇時、第2アプリケータ部材が前記内容物移動通路から脱離することを防止するために開閉板を支持する支持台と、を含むことを特徴とする。
【００１６】
また、前記アプリケータ結合体の中央部には、前記内容物移動通路と連通する連通部が形成され、前記連通部には、前記第2アプリケータ部材が昇降可能に結合できるように、連通部の内周面を取り囲み、一定間隔に離間した多数の支持突起が具備され、前記多数の支持突起は、前記第2アプリケータ部材を結合することができるように連通部の中央部に結合ホールが形成され、相互に離間した空間を通じて内容物が移動するように、内容物移動ホールが形成されることを特徴とする。
【００１７】
また、前記第2アプリケータ部材は、前記連通部の上端に定置され、連通部を閉栓し、内容物の圧力によって上昇し前記連通部を開栓する開閉板と、前記開閉板から下部へ延長され、前記結合ホールに昇下降可能に結合され、内容物の圧力によって第2アプリケータ部材が上昇する時、第2アプリケータ部材が、前記連通部から脱離することを防止することができるように開閉板を支持する支持台と、を含むことを特徴とする。
【００１８】
また、前記支持台には、内容物の排出時、前記多数の支持突起の下端に接触し、前記第2アプリケータ部材の上昇を制限する係止部が形成されることを特徴とする。
【発明の効果】
【００１９】
以上のように、本発明によれば、チューブ容器の上部に肌に接触する金属のアプリケータを具備することにより、内容物を肌に塗布時、ぬくもりまたは冷気を肌に伝達することが可能になるので、顔の肌の代謝を促進させ、肌の弾力性を向上させることができるという長所がある。
【００２０】
また、第1アプリケータ部材と第2アプリケータ部材が分離形成されて、未使用時は内容物移動ホールを閉栓し、チューブ本体の加圧による内容物の排出時には、内容物の圧力によって第2アプリケータ部材が上昇し、内容物移動ホールを開栓するように構成されることにより、内容物を排出しない状態では、チューブ本体の内部に空気が流入することを防止することができるという長所がある。
【図面の簡単な説明】
【００２１】
【図１】本発明の好ましい実施例に係る、アプリケータを具備したチューブ容器の構成を示す分解斜視図である。
【図２】本発明の好ましい実施例に係る、アプリケータを具備したチューブ容器の構成を示す組立斜視図である。
【図３】本発明の好ましい実施例に係る、アプリケータを具備したチューブ容器の構成を示す断面図である。
【図４】図4(a)、(b)は、本発明の好ましい実施例に係る、アプリケータを具備したチューブ容器の内容物が排出される状態を示す説明図である。
【図５】本発明の他の実施例に係る、アプリケータを具備したチューブ容器の構成を示す分解斜視図である。
【図６】本発明の他の実施例に係る、アプリケータを具備したチューブ容器の構成を示す組立斜視図である。
【図７】本発明の他の実施例に係る、アプリケータを具備したチューブ容器の構成を示す断面図である。
【図８】図8(a)、(b)は、本発明の他の実施例に係る、アプリケータを具備したチューブ容器の内容物が排出される状態を示す説明図である。
【発明を実施するための形態】
【００２２】
以下、図面を参照して、本発明を詳細に説明する。各図面に提示された同一の参照符号は同一の部材を示す。
【００２３】
図1は、本発明の好ましい実施例に係るアプリケータを具備したチューブ容器の構成を示す分解斜視図であり、図2は、本発明の好ましい実施例に係るアプリケータを具備したチューブ容器の構成を示す組立斜視図であり、図3は、本発明の好ましい実施例に係るアプリケータを具備したチューブ容器の構成を示す断面図である。
【００２４】
図1〜3を参照すると、本発明の好ましい実施例に係る、アプリケータを具備したチューブ容器は、チューブ本体100、支持体200、アプリケータ部300、及び、オーバーキャップ400を含む。
【００２５】
前記チューブ本体100は、内容物を収容するもので、チューブ本体100の上部には、チューブ本体100を支持し、後述する支持体200を結合することが可能なようにチューブネック110が結合され、前記チューブネック110の中央部には、チューブ本体100に収容された内容物を排出する排出部111が形成される。
【００２６】
前記支持体200は、前記チューブネック110の上部に排出部111を被覆しながら結合し、アプリケータ部300を支持することで、前記排出部111から排出される内容物が上部に移動することができるように内側に内容物移動通路210が形成される。
【００２７】
本発明において、前記内容物移動通路210の上部には、後述する第2アプリケータ部材320を昇降可能に結合することができるように内容物移動通路210の内周面を取り囲み、一定間隔に離間して配置された多数の支持突起211を具備することが特徴であり、前記多数の支持突起211は、第2アプリケータ部材320の支持台322を結合することができるように内容物移動通路210の中央部に結合ホール212が形成され、相互に離間した空間を通じて内容物が移動するように内容物移動ホール213を形成する。
【００２８】
前記アプリケータ部300は、ユーザーの肌に接触し、ユーザーの肌に内容物を塗布するために、前記支持体200の上部を取り囲んで結合され、第2アプリケータ部材320が昇降する空間を形成するように中空部311が形成された第1アプリケータ部材310と、前記中空部311に昇降可能に結合された第2アプリケータ部材320と、で構成される。
【００２９】
本発明において、前記第2アプリケータ部材320は、前記内容物移動通路210を開閉する開閉板321と、前記開閉板321を支持する支持台322と、で構成され、前記開閉板321は、前記内容物移動通路210の上端に定置され、未使用時は内容物移動通路210を閉栓し、ユーザーがチューブ本体100を加圧時、内容物の圧力によって上昇し、前記内容物移動通路210を開栓して内容物を排出することを可能にする。
【００３０】
また、前記支持台322は、前記開閉板321の底部中央部から延長され、開閉板321を支持することで、結合ホール212を貫通する所定の長さで形成され、前記支持台322の下部には、内容物の排出時、その圧力によって第2アプリケータ部材320が上部に移動し、内容物移動通路210から脱離されることを防止するために、第2アプリケータ部材320の上昇時に、支持突起211の下端に当接する係止部323が形成されることが好ましい。
【００３１】
一方、本発明において、前記アプリケータ部300は、第1アプリケータ部材310及び第2アプリケータ部材320が金属で構成されることが特徴で、金属の特性により、内容物を肌に塗布時、冷気または温もりを肌に伝達することができるようになり、顔の肌の代謝を促進させ、肌の弾力性を向上させ、効率的な肌の美容をすることができる。
【００３２】
前記オーバーキャップ400は、前記アプリケータ部300を被覆しながら、前記チューブネック110に結合され、内部上側には下方向へ突出して形成され、前記第2アプリケータ部材320の上端を加圧する加圧突起410を具備する。
【００３３】
前記加圧突起410は、オーバーキャップ400がチューブネック110に結合された状態で、第2アプリケータ部材320の上端を加圧し、第2アプリケータ部材320の上昇を防止するとともに、開閉板321が内容物移動通路210を閉栓し、未使用時にチューブ本体100の内部に空気が流入することを防止することで、チューブ本体100に収容された内容物が変質することを防止することができる。
【００３４】
以下では、図4(a)、(b)を参照して、本発明の好ましい実施例に係る、アプリケータを具備したチューブ容器、の内容物が排出される過程を説明する。図4(a)、(b)は、本発明の好ましい実施例に係る、アプリケータを具備したチューブ容器の内容物が排出される状態を示す説明図である。
【００３５】
図4(a)、(b)を参照すると、本発明の好ましい実施例に係る、アプリケータを具備したチューブ容器は、ユーザーがオーバーキャップ400を抜去した後、チューブ本体100を加圧すると、チューブ本体100に収容された内容物が排出部111から排出され、この時、排出部111から排出される内容物が支持体200の内容物移動通路210を通って内容物移動ホール213に移動し、第2アプリケータ部材320の開閉板321を加圧する。これにより、内容物の圧力によって第2アプリケータ部材320が上昇する。
【００３６】
前記のように、第2アプリケータ部材320が上昇すると、内容物移動通路210が開栓され、第1アプリケータ部材310と第2アプリケータ部材320とが形成する空間、すなわち、中空部311を通じてアプリケータ部300の上端へ内容物の排出が行われ、排出された内容物をアプリケータ部300から肌に塗布することができるようになる。
【００３７】
以下では、図5〜8を参照して、本発明の他の実施例に係る、アプリケータを具備したチューブ容器を説明する。
【００３８】
図5〜7を参照すると、本発明の他の実施例に係る、アプリケータが具備されたチューブ容器は、チューブ本体500、支持体600、アプリケータ部700、アプリケータ結合体800、及び、オーバーキャップ900を含む。
【００３９】
前記チューブ本体500は、内容物を収容するもので、チューブ本体500の上部には、チューブ本体500を支持し、後述する支持体600を結合することができるようにチューブネック510が結合され、前記チューブネック510の中央部には、チューブ本体500に収容した内容物を排出する排出部511が形成される。
【００４０】
前記排出部511の外周面下部には、支持体600との結合方向をガイドするとともに、回転を防止するための回転防止突起512が形成される。
【００４１】
前記支持体600は、前記チューブネック510の上部に、排出部511を被覆しながら結合することで、前記排出部511を通じて排出される内容物が上部に移動することが可能なように、その内側に内容物移動通路610が形成される。
【００４２】
前記支持体600の下端には、支持体600の回転を防止するために、前記回転防止突起512と結合する結合溝620が形成される。
【００４３】
前記アプリケータ部700は、ユーザーの肌に接触して、ユーザーの肌に内容物を塗布するために、前記支持体600の上部のアプリケータ結合体800に結合され、第2アプリケータ部材720が昇降する空間を形成するように中空部711が形成される第1アプリケータ部材710と、前記中空部711に昇降可能に結合される第2アプリケータ部材720で構成される。
【００４４】
本発明において、前記第2アプリケータ部材720は、後述する連通部810を開閉する開閉板721と、前記開閉板721を支持する支持台722で構成され、前記開閉板721は、連通部810の上端に定置され、未使用時は連通部810を閉栓し、ユーザーがチューブ本体100を加圧する時、内容物の圧力によって上昇し、連通部810を開栓して内容物の排出を可能にする。
【００４５】
また、前記支持台722は、前記開閉板721の下端中央部から延長され、開閉板721を支持するために、結合ホール812を貫通する所定の長さで形成され、かつ、前記支持台722の下部には、内容物の排出時、内容物の圧力によって第2アプリケータ部材720が上部に移動し、連通部810から脱離されることを防止するために、第2アプリケータ部材720の上昇時に支持突起811の下端に当接する係止部723を形成することが好ましい。
【００４６】
一方、本発明において、前記アプリケータ部700は、第1アプリケータ部材710及び第2アプリケータ部材720が金属で構成されることが特徴で、金属の特性により内容物を肌に塗布時、冷気または温もりを肌に伝達することが可能であり、これにより、顔の肌の代謝を促進し、肌の弾力性を向上させ、効率的な肌の美容が可能となる。
【００４７】
前記アプリケータ結合体800は、前記支持体600とアプリケータ部700との間で、前記支持体600の上部に結合され、アプリケータ部700を支持する。本発明において、前記アプリケータ結合体800は、前記支持体600の上部に斜めに傾いた状態で結合され、前記アプリケータ部700を所定角度に傾いた状態で支持するように構成され、これにより、使用上の便宜性を提供する。
【００４８】
一方、前記アプリケータ結合体800の中央部には、前記内容物移動通路610と連通する連通部810が形成され、前記連通部810には、前記第2アプリケータ部材720を昇降可能に結合できるように連通部810の内周面を取り囲み、一定間隔に離間して配置された多数の支持突起811を具備する。
【００４９】
前記多数の支持突起811は、第2アプリケータ部材720の支持台722を結合することができるように連通部810の中央部に結合ホール812を形成し、相互に離間した空間を通って内容物が移動するように内容物移動ホール813を形成する。
【００５０】
前記オーバーキャップ900は、前記アプリケータ部700を被覆しながら、前記チューブネック510と結合し、内部上側には下方向へ突出形成され、前記第2アプリケータ部材720の上端を加圧する加圧突起910を具備する。
【００５１】
前記加圧突起910は、オーバーキャップ900がチューブネック510に結合された状態で、第2アプリケータ部材720の上端を加圧し、第2アプリケータ部材720の上昇を防止するとともに、開閉板721が連通部810を閉栓するようにし、未使用時にチューブ本体500の内部に空気が流入することを防止することで、チューブ本体500に収容した内容物が変質することを防止することができる。
【００５２】
以下では、図8(a)、(b)を参照して、本発明の他の実施例に係る、アプリケータを具備したチューブ容器の、内容物が排出される過程を説明する。図8(a)、(b)は、本発明の他の実施例に係る、アプリケータを具備したチューブ容器の内容物が排出される状態を示す説明図である。
【００５３】
図8(a)、(b)を参照すると、本発明の他の実施例に係る、アプリケータを具備したチューブ容器は、ユーザーがオーバーキャップ900を抜去した後、チューブ本体500を加圧すると、チューブ本体500に収容された内容物が排出部511を通って排出される。この時、排出部511を通って排出される内容物が、支持体600の内容物移動通路610を通り、そして、連通部810を通って内容物移動ホール813に移動し、第2アプリケータ部材720の開閉板721を加圧する。これにより、内容物の圧力によって第2アプリケータ部材720が上昇する。
【００５４】
上記のように、第2アプリケータ部材720が上昇すると、連通部810が開栓され、第1アプリケータ部材710と第2アプリケータ部材720とが形成する空間、すなわち、中空部711を通ってアプリケータ部700の上端へ内容物の排出が行われ、排出した内容物をアプリケータ部700から肌に塗布することができるようになる。
【００５５】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められるべきである。
【図１】
2017516514.tif 000003
【図２】
2017516514.tif 000004
【図３】
2017516514.tif 000005
【図４】
2017516514.tif 000006
【図５】
2017516514.tif 000007
【図６】
2017516514.tif 000008
【図７】
2017516514.tif 000009
【図８】
2017516514.tif 000010
【国際調査報告】
2017516514.tif 000011
2017516514.tif 000012
2017516514.tif 000013
2017516514.tif 000014